(57)【特許請求の範囲】
【請求項１】
室内コンセントを装った隠し収納スペース構造であって、前記収納スペースを確保するためのコンセントボックスの縁部に形成されるプレートボディーに対して爪の嵌合によって取り付けられる化粧プレートと、この化粧プレートを容易に取り外すための鍵として働き、前記化粧プレートのブレード挿入孔に挿入されるブレードを有するコンセントプラグ鍵と、前記ブレードが有するＬ字状の形状と、前記ブレード挿入孔の裏側に化粧プレートと一体的に設けられて前記ブレードが挿入されるブレード鞘と、このブレード鞘に形成され前記ブレードのＬ字状の先端が係止する係止窓と、を有することを特徴とする室内コンセント風収納スペース構造。
【請求項２】
前記化粧プレートは、前記コンセントプラグ鍵のＬ字状のブレードを挿入しても化粧プレートを取り外すことができないダミー挿入孔を並有し、このダミー挿入孔の裏側に設けられるブレード鞘には係止窓が形成されていないことを特徴とする請求項１に記載の室内コンセント風収納スペース構造。
【請求項３】
室内コンセントを装った隠し収納スペース構造であって、前記収納スペースを確保するためのコンセントボックスの縁部に形成されるプレートボディーに対して爪の嵌合によって取り付けられる化粧プレートと、この化粧プレートを容易に取り外すための鍵として働き、前記化粧プレートのブレード挿入孔に挿入されるブレードを有するコンセントプラグ鍵と、前記ブレードの側面に形成される所定形状の係止孔と、前記ブレード挿入孔の裏側に化粧プレートと一体的に設けられて、前記ブレードの挿入が完了した位置で前記係止孔に進入し係止しうる所定形状の断面を有する係止駒と、この係止駒を前記進入方向へ付勢するバネと、前記ブレードの挿入初期において前記ブレードが接して前記係止駒を反進入方向へ押しのけるために前記係止駒に形成された傾斜部と、を有することを特徴とする室内コンセント風収納スペース構造。
【請求項４】
前記化粧プレートは、前記コンセントプラグ鍵のブレードを挿入しても化粧プレートを取り外すことができないダミー挿入孔を並有し、このダミー挿入孔の裏側には前記係止駒が設けられていないことを特徴とする請求項３に記載の室内コンセント風収納スペース構造。
【発明の詳細な説明】
【技術分野】
【０００１】
この発明は、大切な小物などを盗難などから守るために収納する、室内コンセントを装った隠し収納スペース構造に関する。
【背景技術】
【０００２】
大切な小物など、例えば貴金属、腕時計、銀行通帳、印鑑、などを盗難などから守るためには、金庫に入れたり、人目につかない箪笥の引き出しや冷蔵庫の中などに隠すことが行われる。
また、下記の特許文献１には、ステレオのスピーカーの中などに隠して使用できる、薄い小型の隠し金庫が、提案される。
【特許文献１】特開２００４−１１６２５４
【発明の開示】
【発明が解決しようとする課題】
【０００３】
しかしながら、通常の金庫は、人目につきやすく、軽量のものは丸ごと運ばれ盗難を免れない。運ばれにくい重量の大きな金庫は、移動などが大変で、設置場所も確保が困難である。
また、箪笥の引き出しや冷蔵庫は、人目につき難く、あらたな設置場所は不要であるが、室内を物色されることで発見される可能性が高く、発見されれば盗難は免れない。
この発明は、以上の問題点を解決するために、人目につかず、室内を物色されても発見される可能性が低く、盗難を免れやすい隠し収納スペース構造を提供することを目的とする。
【課題を解決するための手段】
【０００４】
以上の課題を解決するために、第一発明は、室内コンセントを装った隠し収納スペース構造であって、前記収納スペースを確保するためのコンセントボックスの縁部に形成されるプレートボディーに対して爪の嵌合によって取り付けられる化粧プレートと、この化粧プレートを容易に取り外すための鍵として働き、前記化粧プレートのブレード挿入孔に挿入されるブレードを有するコンセントプラグ鍵と、前記ブレードが有するＬ字状の形状と、前記ブレード挿入孔の裏側に化粧プレートと一体的に設けられて前記ブレードが挿入されるブレード鞘と、このブレード鞘に形成され前記ブレードのＬ字状の先端が係止する係止窓と、を有することを特徴とする室内コンセント風収納スペース構造である。
【０００５】
第二発明は、さらに、前記化粧プレートは、前記コンセントプラグ鍵のＬ字状のブレードを挿入しても化粧プレートを取り外すことができないダミー挿入孔を並有し、このダミー挿入孔の裏側に設けられるブレード鞘には係止窓が形成されていないことを特徴とする室内コンセント風収納スペース構造である。
第三発明は、室内コンセントを装った隠し収納スペース構造であって、前記収納スペースを確保するためのコンセントボックスの縁部に形成されるプレートボディーに対して爪の嵌合によって取り付けられる化粧プレートと、この化粧プレートを容易に取り外すための鍵として働き、前記化粧プレートのブレード挿入孔に挿入されるブレードを有するコンセントプラグ鍵と、前記ブレードの側面に形成される所定形状の係止孔と、前記ブレード挿入孔の裏側に化粧プレートと一体的に設けられて、前記ブレードの挿入が完了した位置で前記係止孔に進入し係止しうる所定形状の断面を有する係止駒と、この係止駒を前記進入方向へ付勢するバネと、前記ブレードの挿入初期において前記ブレードが接して前記係止駒を反進入方向へ押しのけるために前記係止駒に形成された傾斜部と、を有することを特徴とする室内コンセント風収納スペース構造である。
第四発明はさらに、前記化粧プレートは、前記コンセントプラグ鍵のブレードを挿入しても化粧プレートを取り外すことができないダミー挿入孔を並有し、このダミー挿入孔の裏側には前記係止駒が設けられていないことを特徴とする室内コンセント風収納スペース構造である。
【発明の効果】
【０００６】
第一、第二、第三、又は第四発明によれば、室内コンセントを装った隠し収納スペース構造であって、隠し収納スペースとして意外性があり、室内を物色されても発見されにくい。また、室内コンセントを装った隠し収納スペースが、仮に、周知になっても、室内に数の多い室内コンセントの化粧プレートを、ドライバーなどで全て開けることは、手間がかかり、犯行時間を短くしたい心理を有する窃盗犯にとって困難であり、よって、発見されにくい。
【０００７】
また、使用時に隠し収納スペースの蓋としての機能を有する化粧プレートの開閉は、コンセントプラグ鍵で迅速に行える。
さらに、第一、又は第二発明によれば、化粧プレートの開閉は、コンセントプラグ鍵の先端を操作することで容易に行える。すなわち、コンセントプラグ鍵のブレードが有するＬ字状の先端を動かして、化粧プレートのブレード挿入孔の裏側に設けられるブレード鞘に形成される係止窓に、係止する。その後にコンセントプラグ鍵を引っ張れば、ドライバーなどを用いずに、爪の嵌合が外れ、化粧プレートを簡単に外し開くことができる。また、この開閉のための構造もシンプルである。
【０００８】
また、第三、又は第四発明によれば、化粧プレートの開閉は、コンセントプラグ鍵を挿入することで容易に行える。すなわち、挿入されたコンセントプラグ鍵のブレードの係止窓に、バネによって付勢された係止駒が、進入し係止する。その後にコンセントプラグ鍵を引っ張れば、ドライバーなどを用いずに、爪の嵌合が外れ、化粧プレートを簡単に外し開くことができる。また、この開閉のための構造もシンプルである。
【０００９】
さらに、第二、又は第四発明によれば、室内コンセントは、コンセントプラグ鍵を挿入しても化粧プレートを取り外すことができないダミー挿入孔を並有するので、仮に、室内の物色によりコンセントプラグ鍵を発見されたときでも、室内に数の多い室内コンセントの、しかも全ての挿入孔へコンセントプラグ鍵を挿入してみなくてはならず、犯行時間を短くしたい心理を有する窃盗犯にとって負担が大きく、よって、発見されにくい。
【発明を実施するための最良の形態】
【００１０】
この発明の第一実施形態に係る室内コンセント風収納スペース構造を、図１〜図３に示す。
［概略］
この室内コンセント風収納スペース構造は、概観が室内コンセントを装ったもので、一部は従来の室内コンセントの構造と共通である。すなわち、室内壁１に開けられた所定の大きさの孔２に対して、収納スペースを確保するためのコンセントボックス３を取り付ける。このコンセントボックス３の縁部に形成されるプレートボディー５に対して、爪７の嵌合によって化粧プレート９が取り付けられる。
【００１１】
そして、この化粧プレート９を容易に取り外すための鍵として働くコンセントプラグ鍵１１が備えられる。このコンセントプラグ鍵１１は、従来のコンセントプラグと同様に、化粧プレート９のブレード挿入孔１３に挿入されるブレード１５を有するが、電気コードなどは接続されていない。
【００１２】
そのブレード１５は、上または下向きのＬ字状の形状を有する。そして、ブレード挿入孔１３の裏側に、化粧プレート９と一体的に、このブレード１５が挿入されるブレード鞘１７が設けられる。ブレード鞘１７には、ブレード１５のＬ字状の先端が係止する係止窓１９が形成される。
【００１３】
［コンセントボックス３］
コンセントボックス３は、内部に、従来のブレード受などの部品が設けられておらず、貴重品などの小物を収納スペースを確保することができる。室内壁１に開けられた所定の大きさの孔２に対して、従来と同様に取り付けられる。コンセントボックス３は、収納スペースをできるだけ大きくするために、取付方向（奥側水平方向）に伸縮する２重の四角筒状の構造２０になっている。取付方向の奥側にある躯体壁２２、あるいは隣接する部屋の壁に接するまで、この２重の構造を伸ばすことで、収納スペースを大きくする。
【００１４】
縁部に形成されるプレートボディー５には、上下左右に、長孔である通孔２１が形成され、この通孔２１に木ネジ２４を通して、室内壁１、あるいは、壁内部の下地の木桟２６などにねじ込み、コンセントボックス３の取り付けを行う。
また、プレートボディー５の縁部の内側には、上下に、爪７を受け嵌合するための凹部２３が形成される。
【００１５】
［化粧プレート９］
従来と同様にブレード挿入孔１３の対を複数有する。ブレード挿入孔１３の裏側には、ブレード鞘１７を有する。プレートボディー５に対して、嵌合する爪７を有する。
［コンセントプラグ鍵１１］
従来のコンセントプラグと外見が似ており、対のブレード１５を有するが、電気コードなどは接続されていない。ブレード１５は、先端が上または下向きのＬ字状の形状を有する。
【００１６】
［ブレード鞘１７］
ブレード鞘１７は、ブレード１５をすっぽりと挿入できるよう、断面が縦長の四角形を有する。このうち１つの対のブレード鞘１７の先端の上または下には、ブレード１５を挿入した状態で、先端のＬ字状の部分が挿入されうる四角形の係止窓１９が設けられる。
【００１７】
図３（Ｆ）に示すように、他の１つの対のブレード挿入孔１３（ダミー挿入孔）のブレード鞘１７には係止窓１９が形成されていない。
【００１８】
この発明の第二実施形態を、図２及び図４に示す。図において、第一実施形態と同様の部分については、同じ符号を付す。
以上の第一実施形態によれば、コンセントプラグ鍵１１のブレード１５を係止するために、係止窓１９のあるブレード鞘１７が設けられたが、他の実施形態では、他の係止構造が可能である。例えば、以下の第二実施形態では、ブレード１５の係止孔２５へ、バネ３０によって付勢された係止駒２７を係止させる構造にする。
【００１９】
すなわち、コンセントプラグ鍵１１のブレード１５の側面には、通常の丸形状とは異なる所定形状、この実施形態では四角形状の係止孔２５が形成される。そして、ブレード挿入孔１３の裏側には、化粧プレート９と一体的に、この一対のブレード挿入孔１３を外側から挟むようにして、一対のボックス部２９が設けられる。各ボックス部２９には、内部に係止駒２７とバネ３０が設けられる。
【００２０】
この係止駒２７は、ブレード１５の挿入が完了した位置で、係止孔２５に進入し係止しうるように、ボックス部２９に設けられた駒窓３１に臨んで位置する。また、係止孔２５に進入できるように、所定形状、この実施形態では概略四角形状の断面を有する。
バネ３０は、この係止駒２７を進入方向へ、背後から付勢する。
さらに、係止駒２７には、先端部に傾斜部３３が形成され、ブレード１５の挿入初期においてブレード１５が接する。そして、ブレード１５に押され、係止駒２７を反進入方向へ押しのける。
なお、この一対のブレード１５を内側から支えるようにして、一対の支持板３５が設けられ、挿入されたブレード１５の位置決めを容易にする。この支持板３５にも、前記駒窓３１に対応する位置に窓部３７が形成される。
また、化粧プレート９は、複数対のブレード挿入孔１３のうち一部の対に、上記のような係止駒２７やバネ３０を有するが、図示しないものの、他の対には有さず、よって、ダミー挿入孔を並有する。
【００２１】
「実施形態の効果」
以上の第一、又は第二実施形態によれば、室内コンセントを装った隠し収納スペース構造であるので、隠し収納スペースとして意外性があり、室内を物色されても発見されにくい。
【００２２】
また、室内コンセントを装った隠し収納スペースが、仮に、周知になっても、室内に数の多い室内コンセントの化粧プレート９を開けるには、プレートボディー５と化粧プレート９との間に、ドライバーなどをこじ入れて開けることになるが、それでは、手間がかかり、犯行時間を短くしたい心理を有する窃盗犯にとって困難であり、よって、発見されにくい。  また、隠し収納スペースの使用者が、使用時に隠し収納スペースの蓋としての機能を有する化粧プレート９の開閉は、コンセントプラグ鍵１１で迅速に行える。
【００２３】
さらに、第一実施形態によれば、化粧プレート９の開閉は、コンセントプラグ鍵１１の先端を操作することで容易に行える。すなわち、コンセントプラグ鍵１１のブレード１５が有するＬ字状の先端を動かして、化粧プレート９のブレード挿入孔１３の裏側に設けられるブレード鞘１７に形成される係止窓１９に、係止する。その後に、コンセントプラグ鍵１１を引っ張れば、ドライバーなどを用いずに、爪７の嵌合が外れ、化粧プレート９を簡単に外し開くことができる。また、この開閉のための構造もシンプルである。
【００２４】
また、第二実施形態によれば、化粧プレート９の開閉は、コンセントプラグ鍵１１を挿入することで容易に行える。すなわち、この挿入を行えば、挿入されたコンセントプラグ鍵１１のブレード１５の係止孔２５に、バネによって付勢された係止駒２７が、進入し係止する。その後にコンセントプラグ鍵１１を引っ張れば、ドライバーなどを用いずに、爪７の嵌合が外れ、化粧プレート９を簡単に外し開くことができる。
【００２５】
また、化粧プレート９を簡単に外した後は、支持板３５の窓部３７に露出する、係止駒２７の先端を、指やペンの先などで押し込めば、係止駒２７の係止孔２５への係止を解除できる。よってコンセントプラグ鍵１１を外すことができる。コンセントプラグ鍵１１を外した化粧プレート９は、再びプレートボディー５に対して、爪７の嵌合によって取り付けることができる。
【００２６】
さらに、ダミー挿入孔を並有することにより、室内コンセントは、コンセントプラグ鍵１１を挿入しても化粧プレート９を取り外すことができない割合を高められる。よって、仮に、室内の物色によりコンセントプラグ鍵１１を発見されてしまったときでも、窃盗犯は、室内に数の多い室内コンセントの、しかも全ての挿入孔へコンセントプラグ鍵１１を挿入してみなくてはならず、犯行時間を短くしたい心理を有する窃盗犯にとって負担が大きく、よって、発見されにくい。
【００２７】
また、以上の室内コンセント風収納スペース構造は、一部は従来の室内コンセントの構造と共通の構造を有し、新たに製造すべきは化粧プレート９だけで済み、他は、市販のものを転用、利用できる場合があり、製造コストを低コストにできる。  
【図面の簡単な説明】
【００２８】
【図１】（Ａ）は、この発明の一実施形態に係る室内コンセント風収納スペース構造の断面側面図、（Ｂ）は、（Ａ）の断面平面図、（Ｃ）は、（Ａ）のコンセントボックスの縦断面図である。
【図２】（Ａ）は、図１の室内コンセント風収納スペース構造の斜視図、（Ｂ）は、（Ａ）の化粧プレートを取り外した分解図である。
【図３】（Ａ）は、図１（Ａ）の要部を示す図、（Ｂ）は、（Ａ）の作用を示す図、（Ｃ）は、（Ｂ）の右側（すなわち裏側）を拡大してします斜視図、（Ｄ）は、（Ａ）のコンセントプラグ鍵の拡大斜視図、（Ｅ）は、（Ｃ）の縦断面図、（Ｆ）は、（Ｅ）に対応するダミー挿入孔の縦断面図である。
【図４】（Ａ）は、この発明の他の実施形態に係る室内コンセント風収納スペース構造で使用されるコンセントプラグ鍵の拡大斜視図、（Ｂ）は、（Ａ）のコンセントプラグ鍵が使用される室内コンセント風収納スペース構造の横断面図、（Ｃ）及び（Ｄ）は、（Ａ）の作用を示すである。
【符号の説明】
【００２９】
１…室内壁、３…コンセントボックス、５…プレートボディー、７…爪、９…化粧プレート、１１…コンセントプラグ鍵、１３…ブレード挿入孔、１５…ブレード、１７…ブレード鞘、１９…係止窓、２１…通孔、２３…凹部、２５…係止孔、２７…係止駒、２９…ボックス部、３１…駒窓、３３…傾斜部。
【図１】
0005159343.tif 000002
【図２】
0005159343.tif 000003
【図３】
0005159343.tif 000004
【図４】
0005159343.tif 000005